(57)【要約】【課題】電子機器の姿勢を安定させることができる。【解決手段】ノートパソコンに備わる足部のうち少なくとも一つの足部１０ａに、接地部材１１、弾性部材１２、ネジ１３からなる姿勢調整機構を備えた。接地部材１１は、弾性部材１２によって凹部１４の底面１４ｂから離間（浮上）して配置され、外部から押圧力が印加された際に弾性部材１２を圧縮変形させながら変位する。このような構成とすることにより、各足部の高さ寸法のバラツキや第１の筐体１の変形等が原因で第１の筐体１のガタツキが生じたとしても、全ての足部１０ａ〜１０ｄを載置面に接地させることができるので、第１の筐体１のガタツキを解消することができる。【選択図】図５
2012156244.tif 000002
【特許請求の範囲】
【請求項１】
載置面に載置する筐体に配置される複数の足配置部と、前記複数の足配置部それぞれの設置面に設置した足部とを備えた電子機器であって、
前記複数の足部のうち少なくとも一つの足部は、
前記筐体における前記載置面に対向する裏面から突出するように、前記足配置部の前記設置面に配されている接地部材と、
前記設置面と前記接地部材との間に配されている弾性部材とを備え、
前記接地部材は、前記設置面から離間して配されている、電子機器。
【発明の詳細な説明】
【技術分野】
【０００１】
本願は、機器支持部材を備えた電子機器に関する。
【背景技術】
【０００２】
ノートパソコンやデスクトップパソコン等のように卓上設置して使用することができる電子機器には、卓上との接地面に「足ゴム」等と呼ばれる機器支持部材が備わることが多い。足ゴムは、軟質ゴムで形成されていることが多く、電子機器へ加わろうとする衝撃や振動を緩和させている。足ゴムは、効率的に緩衝及び振動吸収を行うために電子機器に複数個備わることが多い。しかしながら近年、ノートパソコン等のモバイル機器は、携帯性を向上させるために機器本体が軽量化する傾向にあり、それに伴い筐体の薄肉化が進んでいる。機器の筐体が薄肉化すると、外部から強い衝撃や押圧力が加わったときに塑性変形してしまうことがあり、一部の足ゴムが接地しなくなるなど複数個の足ゴムの接地状態にバラツキが生じてしまう場合がある。足ゴムの接地状態にバラツキが生じると、電子機器を卓上等に設置した際に姿勢が安定しない。そこで、足ゴムの高さを調整できる構成が提案されている。
【０００３】
特許文献１は、卓上装置の底面に回動自在に挿着し、抜け止め向きに付勢され、底面との対向面にラジアル方向に２〜４個の凸状部を等角度の間隔に備える調整足と、中心に調整足を挿入する挿入孔を配し、凸状部の先部が係止する凹状部をラジアル方向に等角度θ／Ｎの間隔に、且つ係止位置が軸方向の所定距離をＮステップの階段状に繰り返し全面に設け、底面に備えられる挿着座とからなる、卓上装置の設置ガタ吸収足部構造を開示している。
【先行技術文献】
【特許文献】
【０００４】
【特許文献１】特開平５−７０８４号公報
【発明の概要】
【発明が解決しようとする課題】
【０００５】
しかしながら特許文献１が開示している構成では、卓上装置の筐体が外圧等によって変形してしまうと、複数の調整足の接地状態にバラツキが生じ、卓上装置の姿勢が不安定になってしまう。特に、特許文献１が開示している調整足は、調整可能な高さや段数（Ｎステップ）が決まっており、複数の調整足の接地状態のバラツキを無くすことが困難である。
【課題を解決するための手段】
【０００６】
本願に開示する電子機器は、載置面に載置する筐体に配置される複数の足配置部と、前記複数の足配置部それぞれの設置面に設置した足部とを備えた電子機器であって、前記複数の足部のうち少なくとも一つの足部は、前記筐体における前記載置面に対向する裏面から突出するように、前記足配置部の前記設置面に配されている接地部材と、前記設置面と前記接地部材との間に配されている弾性部材とを備え、前記接地部材は、前記設置面から離間して配されている。
【発明の効果】
【０００７】
本願の開示によれば、複数の足部の接地状態のバラツキを抑え、電子機器の姿勢を安定させることができる。
【図面の簡単な説明】
【０００８】
【図１】ノートパソコンの斜視図
【図２】第１の筐体の下面側の平面図
【図３】足部の分解斜視図
【図４Ａ】接地部材の平面図
【図４Ｂ】接地部材の平面図
【図４Ｃ】図４ＢにおけるＸ−Ｘ部の断面図
【図５】足部近傍の断面図
【図６】接地部材の姿勢が変化した状態を示す足部近傍の断面図
【発明を実施するための形態】
【０００９】
（実施の形態）
〔１．電子機器の構成〕
図１は、本実施の形態にかかるノートパソコンの外観を示す斜視図である。本実施の形態では、電子機器の一例としてノートパソコンを挙げたが、少なくとも卓上に設置して使用することができる機器であればよい。電子機器は、ノートパソコンの他、デスクトップパソコン、ディスプレイ機器、ＤＶＤプレーヤー等のディスク状媒体を、卓上型音響機器等であってもよい。
【００１０】
図１に示すように、ノートパソコンは、第１の筐体１と第２の筐体２とを備えている。第１の筐体１は、各種電気素子が実装された回路基板やハードディスクドライブなどを内蔵している。第２の筐体２は、ディスプレイパネル４を備えている。ディスプレイパネル４は、例えば液晶ディスプレイパネルで実現することができる。第１の筐体１と第２の筐体２とは、ヒンジ部３によって互いに回動自在に支持されている。ヒンジ部３は、第１の筐体１と第２の筐体２とを矢印ＡまたはＢに示す方向へ回動自在に支持する回動軸を備えている。第１の筐体１の上面１ａには、キーボード５とポインティングデバイス６とが配されている。
【００１１】
図２は、第１の筐体１の下面１ｂの平面図である。第１の筐体１の下面１ｂは、上面１ａの裏側の面である。図２に示すように、第１の筐体１の下面１ｂには、４個の足部１０ａ，１０ｂ，１０ｃ，および１０ｄが備わる。足部１０ａ〜１０ｄのうち少なくとも一つの足部に姿勢調整機構を備えていることが好ましい。
【００１２】
本実施の形態では、足部１０ａ及び１０ｂは姿勢調整機構を備え、足部１０ｃ及び１０ｄは姿勢調整機構を備えていない。本実施の形態のように足部１０ａ及び１０ｂに姿勢調整機構を備えることにより、ノートパソコンをユーザーが通常の姿勢で操作する場合（ノートパソコンを図１に示すように開いた状態にして、ユーザーが第１の筐体１の前面１ｃに対峙する場合）、姿勢調整機構によって第１の筐体１の前面１ｃ側がヒンジ部３側よりも僅かに低くなる場合がある。これにより、ユーザーは、手や腕を自然な姿勢にしてキーボード５等を操作することができる。仮に、足部１０ｃ及び１０ｄに姿勢調整機構を備え、足部１０ａ及び１０ｂに姿勢調整機構を備えていない場合、姿勢調整機構によって第１の筐体１のヒンジ部３側が低くなり、ユーザーは手や腕を無理な姿勢にしてキーボード５等を操作しなければならなくなる場合がある。
【００１３】
また、足部１０ａ〜１０ｄは、第１の筐体１の下面１ｂからの高さが全て同じであることが好ましい。また、足部１０ａ及び１０ｂは、足部１０ｃ及び１０ｄよりも第１の筐体１の下面１ｂからの高さを低くすることにより、第１の筐体１の前面１ｃ側をヒンジ部３側よりも僅かに低くすることができ、ユーザーが手や腕を自然な姿勢にしてキーボード５等を操作することができるため好ましい。
【００１４】
なお、本明細書では、ノートパソコンの姿勢を安定させる機器支持部材を「足部」と称しているが、同様の機能を有するものであれば他の呼称（足ゴム、ゴム足、インシュレーター等）であっても、本発明における機器支持部材の範囲に含む。
【００１５】
〔２．姿勢調整機構を備えた足部の構成〕
図３は、姿勢調整機構を備えた足部１０ａの分解斜視図である。図示は省略するが、足部１０ｂは、足部１０ａと同一構成を有する。足部１０ａは、接地部材１１、弾性部材１２、およびネジ１３を備えている。足部１０ａは、第１の筐体１の下面１ｂに形成された凹部１４の内部に配置及び固定される。足部１０ａは、凹部１４内に配置されている状態で、接地部材１１の少なくとも一部が第１の筐体１の下面１ｂから突出する。
【００１６】
接地部材１１は、ノートパソコンを下面１ｂが載置平面に対向する姿勢で卓上等に設置した際に、載置平面に接する部材である。接地部材１１は、略円柱状に形成されている。接地部材１１は、緩衝効果、振動吸収効果、および位置安定性（載置平面に対して平行な方向へ押圧力が加わった際のノートパソコンの位置不動性）が得られる材料で形成されていることが好ましい。接地部材１１は、例えば弾性または粘弾性を有する共重合体樹脂、内部可塑化樹脂またはゴム弾性を有する樹脂等のいわゆるエラストマー性を有する樹脂材料で形成することができる。接地部材１１は、例えばポリエステル系熱可塑性エラストマー（ＴＰＥＥ）で形成することができる。接地部材１１は、弾性部材１２とネジ１３の頭部１３ａとの間に配置される。接地部材１１は、第１の筐体１の下面１ｂから突出して配置されることにより、第１の筐体１を載置平面等から離間（浮上）させることができるので、載置平面等から伝わる振動や衝撃を第１の筐体１へ伝わりにくくしたり、載置平面等から伝わる衝撃や振動を接地部材１１で吸収したりすることができる。また、第１の筐体１を載置平面等から離間させることで、第１の筐体１の放熱性を向上させることができる。
【００１７】
ここで、接地部材１１の具体構成について説明する。図４Ａは、接地部材１１の接地面１１ｈ側の平面図である。図４Ｂは、接地部材１１の下面１１ｃ側（接地面１１ｈの裏側）の平面図である。図４Ｃは、図４ＢのＸ−Ｘ部の断面図である。図４Ａ〜図４Ｃに示すように、接地部材１１は、孔部１１ａ、受け面１１ｂ、下面１１ｃ、接地面１１ｈ、凹部１１ｋが備わる。孔部１１ａは、受け面１１ｂの中央に形成されている。孔部１１ａは、ネジ１３の円柱部１３ｂの外径よりも大きく、ネジ１３の頭部１３ａの外径よりも小さい内径Ｒ１を有する。受け面１１ｂは、凹部１１ｋ内における孔部１１ａの周囲の部分である。受け面１１ｂは、ネジ１３で接地部材１１と弾性部材１２とを凹部１４に螺結固定した際に、ネジ１３の頭部１３ａが当接可能な面である。下面１１ｃは、接地面１１ｈの裏側の面である。接地面１１ｈは、足部１０ａを第１の筐体１に装着した状態において、第１の筐体１の下面１ｂが載置平面に対向する姿勢でノートパソコンを卓上に載置した際に、載置平面に接する面である。凹部１１ｋは、接地面１１ｈの例えば中央に形成されている。凹部１１ｋは、少なくともネジ１３の頭部１３ａを内在可能な空間を有する。凹部１１ｋの深さＤ１（図５を参照して後述）は、少なくともネジ１３の頭部１３ａの厚さよりも大きく形成することにより、ネジ１３の頭部１３ａが接地部材１１から突出せず、ノートパソコンを卓上等に載置した際に姿勢が安定するため、好ましい。
【００１８】
弾性部材１２は、接地部材１１の姿勢を可変させる部材である。弾性部材１２は、略円筒状に形成されている。弾性部材１２は、接地部材１１と凹部１４の底面１４ｂとの間に配置される。弾性部材１２は、接地部材１１の姿勢を変化させるために、外圧に対して弾性変形しやすく、外圧が無くなると元の形状に復帰しやすい材料で形成されていることが好ましい。弾性部材１２は、例えばポリウレタン等で形成することができる。弾性部材１２は、円形に開口した孔部１２ａが形成されている。孔部１２ａは、弾性部材１２の第１端面１２ｂから第２端面１２ｃまで貫通形成されている。第１端面１２ｂ及び第２端面１２ｃは、接地部材１１の姿勢を安定させることを考慮すると、それぞれ平面に形成されていることが好ましく、また両者が互いに平行となるように形成されていることがさらに好ましい。
【００１９】
ネジ１３は、少なくとも接地部材１１を、第１の筐体１の凹部１４内に保持させることができる。ネジ１３は、頭部１３ａ、円柱部１３ｂ、およびネジ部１３ｃを備えている。頭部１３ａは、例えばプラスドライバー（ねじ回し）の先端を嵌合可能な溝１３ｄが形成されている。円柱部１３ｂは、頭部１３ａとネジ部１３ｃとの間に形成されている。ネジ部１３ｃは、周面に螺旋状にネジ溝（不図示）が形成されている。ネジ部１３ｃは、凹部１４内に形成されたネジ穴１４ａに螺合可能である。
【００２０】
凹部１４は、第１の筐体１の下面１ｂに形成されている。凹部１４は、開口部分の形状が例えば円形であるが、円形に限らず他の形状であってもよい。凹部１４は、底面１４ｂにネジ穴１４ａが形成されている。ネジ穴１４ａは、本実施の形態では底面１４ｂの中央に形成されているが、形成位置は中央に限らない。
【００２１】
図５は、接地部材１１、弾性部材１２、およびネジ１３を凹部１４内に締結固定した状態を示す断面図である。
【００２２】
足部１０ａを組み立てる場合は、まず、弾性部材１２を凹部１４内の底面１４ｂに配置する。このとき、弾性部材１２は、孔部１２ａとネジ穴１４ａとが重なる位置に配置し、さらに好ましくは孔部１２ａの中心とネジ穴１４ａの中心とが一致する位置に配置する。また、弾性部材１２は、底面１４ｂの面方向への変位が規制されていることが好ましく、例えば接着剤等で底面１４ｂに固定することが好ましい。また、弾性部材１２の固定方法は、接着剤に限らず、底面１４ｂに爪部を形成しその爪部に弾性部材１２を係合させる方法や、底面１４ｂにおけるネジ穴１４ａの周囲に孔部１２ａに嵌合可能なリブを形成して弾性部材１２を位置決めする方法や、弾性部材１２の第１端面１２ｂ及び第２端面１２ｃの間隙（以下、高さという）を吸収する幅を備える溝を底面１４ｂに備える方法等であってもよい。
【００２３】
次に、接地部材１１を凹部１４内に配置する。このとき、接地部材１１を、下面１１ｃが弾性部材１２の第１端面１２ｂに当接し、孔部１１ａが孔部１２ａ及びネジ穴１４ａと重なる位置に配置する。接地部材１１は、弾性部材１２の第１端面１２ｂの上に配置し、底面１４ｂの上に第２端面１２ｃを配置することで、底面１４ｂとの間に間隙Ｄ１が形成される。すなわち、接地部材１１は、弾性部材１２によって底面１４ｂから離間（浮上）した状態となる。
【００２４】
次に、ネジ１３を、孔部１１ａ及び１２ａに挿通させて、ネジ穴１４ａに螺合させる。このとき、ネジ１３は、円柱部１３ｂの端面（ネジ部１３ｃ側の端面）が底面１４ｂに当接する位置まで、ネジ穴１４ａに螺合させる。また、ネジ１３の円柱部１３ｂの矢印ＥまたはＦ方向における高さＤ３と、弾性部材１２の高さＤ２（自然長）と、接地部材１１の孔部１１ａの周辺部分の厚さＤ５とは、
Ｄ３≦（Ｄ２＋Ｄ５）
の関係を有するため、ネジ１３の頭部１３ａと底面１４ｂとで、接地部材１１と弾性部材１２とを挟持した状態となる。なお、「Ｄ３＜（Ｄ２＋Ｄ５）」の関係を有する場合は、弾性部材１２が矢印Ｅに示す方向へ僅かに圧縮変形した状態となる。また、この関係を満足すると、接地部材１１の高さは、接地面１１ｈが第１の筐体１の下面１ｂから突出した状態となるように設定する。
【００２５】
なお、接地部材１１の孔部１１ａの内径Ｒ１、凹部１１ｂの内径Ｒ２、弾性部材１２の孔部１２ａの内径Ｒ１１、ネジ１３の頭部１３ａの外径Ｒ２１、円柱部１３ｂの外径Ｒ２２、ネジ穴１４ａの内径Ｒ３１、凹部１４の内径Ｒ３２は、
Ｒ３１＜Ｒ２２  ・・・（関係式１）
Ｒ２２＜Ｒ１１  ・・・（関係式２）
Ｒ１＜Ｒ２１＜Ｒ２  ・・・（関係式３）
Ｒ１２＜Ｒ３＜Ｒ３２  ・・・（関係式４）
の関係を有する。なお、接地部材１１の外径Ｒ３は、図４Ａに示す。
【００２６】
関係式１によれば、ネジ１３は、円柱部１３ｂの端面（ネジ部１３ｃ側の端面）が凹部１４の底面１４ｂに当接し、矢印Ｅに示す方向の位置決めがなされている。関係式２によれば、ネジ１３は、弾性部材１２の孔部１２ａを挿通している。関係式３によれば、ネジ１３の頭部１３ａは、接地部材１１の凹部１１ｋ内に配置されるとともに、接地部材１１の受け面１１ｂに当接する。関係式４によれば、接地部材１１は、凹部１４内に配置される。また、関係式４によれば、弾性部材１２は、接地部材１１の下面１１ｃと凹部１４の底面１４ｂとの間に配置される。
【００２７】
また、弾性部材１２の高さＤ２またはネジ１３の円柱部１３ｂの高さＤ３を調整することによって、接地部材１１の下面１１ｃと底面１４ｂとの間隙Ｄ１（接地部材１１の浮上量）を調整することができる。
【００２８】
また、矢印Ｄ及びＥに示す方向は、第１の筐体１の下面１ｂに直交する直交線と略一致する。なお、接地部材１１は、第１の筐体１の下面１ｂに直交する直交線に完全に一致する方向に限らず、直交線に対して傾斜した方向にも変位可能である。したがって、本明細書における「直交線」とは、下面１ｂの直交線に完全に一致した方向に限らず、接地部材１１が変位可能な範囲であれば直交線に対して多少傾斜した方向を含む。
【００２９】
〔３．足部１０ａの姿勢調整方法〕
第１の筐体１は、金属や樹脂で平板状に形成されていることが多く、そのような形状の筐体は主平面中央近傍の曲げ剛性が低いことが多い。特に、第１の筐体１の上面１ａ（下面１ｂ）の面積が大きいか、第１の筐体１の上面１ａ（下面１ｂ）の形状が多角形の場合は少なくとも一つの辺が長いほど、曲げ剛性が低くなる。したがって、第１の筐体１の主平面（例えば図１に示す上面１ａ）に強い押圧力が印加されると、第１の筐体１の下面１ｂ側が凸状となるように塑性変形してしまう場合がある。また、押圧力の印加方向によっては、第１の筐体１は、上面１ａ側が凸状となるように塑性変形してしまう場合もある。このように第１の筐体１が変形してしまうと、下面１ｂに備わる複数の足部１０ａ〜１０ｄの接地状態にバラツキが生じる。例えば、複数の足部１０ａ〜１０ｄのうちいずれか一つが、ノートパソコンの載置面に接地しない状態になってしまう場合がある。複数の足部１０ａ〜１０ｄのうちいずれか一つの足ゴムが接地しなくなると、ノートパソコンの姿勢が不安定となってしまう。例えば、ユーザーがノートパソコンのキーボード５を操作するために第１の筐体１のパームレスト部（ポインティングデバイス６の近傍部分）に手を置いたときと、パームレスト部から手を離したときとで、ノートパソコンの姿勢が変化してしまう場合がある。また、足部１０ｃ及び１０ｄに代え、例えばヒンジ部３の中央部に１つだけ足部を配置した３つの構成の場合には、３つの足部でノートパソコンの平面性は確保できるものの、例えば上述のようにキーボード５の操作等の場合に、右端近傍または左端近傍のキーを操作する際に、ノートパソコンの姿勢が変化し、操作性が低下する。この理由により、足部は、下面１ｂの各角部に配置、すなわち４カ所以上に配置することが好ましい。
【００３０】
本実施の形態の接地部材１１は、弾性部材１２によって底面１４ｂから浮上した状態となっており、この状態から矢印Ｅに示す方向へ押圧されると弾性部材１２を圧縮変形させながら矢印Ｅに示す方向へ変位可能である。また、本実施の形態では、図５に示す構造を、足部１０ａ及び１０ｂに採用した。
【００３１】
図６は、足部１０ａの接地部材１１が矢印Ｅに示す方向へ変位した状態を示す断面図である。例えば、下面１ｂが平面になっている第１の筐体１を机上等の載置平面に設置したとき、第１の筐体１が湾曲変形していなければ、下面１ｂと載置面１００との間隙は下面１ｂの面方向において均一となる。しかし、第１の筐体１が、下面１ｂが凸状または凹状となるように湾曲変形している場合、第１の筐体１を載置面１００に設置したときに、下面１ｂと載置面１００との間隙は下面１ｂの面方向において不均一となる。下面１ｂと載置面１００との間隙が不均一であると、複数の足部１０ａ〜１０ｄのうち少なくとも一つの足部が載置面１００に接地しなくなる場合がある。
【００３２】
本実施の形態では、接地部材１１を矢印ＤまたはＥに示す方向へ変位可能としたことにより、下面１ｂと載置面１００との間隙が小さい部分の近傍に配された足部の接地部材１１が、図６に示すように矢印Ｅに示す方向へ変位することができる。接地部材１１が図５に示す位置から矢印Ｅに示す方向へ変位する際、弾性部材１２は、接地部材１１によって矢印Ｅに示す方向へ押圧されて圧縮変形する。
【００３３】
また、ネジ１３は、ネジ穴１４ａに螺合し円柱部１３ｂが底面１４ｂに当接しているため、接地部材１１が矢印Ｅに示す方向へ変位したとしても、変位しない。したがって、図６に示すように接地部材１１が矢印Ｅに示す方向へ変位すると、接地部材１１の受け面１１ｂとネジ１３の頭部１３ａとの間には間隙が生じる。
【００３４】
これにより、全ての足部１０ａ〜１０ｄを接地させることができる。
【００３５】
また、接地部材１１は、弾性部材１２により支持されていることにより、図５における矢印ＦまたはＧに示す方向へ傾いて変位することも可能である。例えば、接地部材１１は、図５に示す間隙Ｄ１が間隙Ｄ２よりも大きくなる傾斜姿勢に変位することができる。したがって、第１の筐体１の下面１ｂと載置面１００とが平行にならない形状に第１の筐体１が変形したとしても、接地部材１１を載置面１００に接地させることができ、ノートパソコンの姿勢を安定させることができる。
【００３６】
〔４．実施の形態の効果、他〕
本実施の形態によれば、ノートパソコンに備わる足部のうち少なくとも一つの足部１０ａに、接地部材１１、弾性部材１２、ネジ１３からなる姿勢調整機構を備えたことにより、各足部の高さ寸法のバラツキや第１の筐体１の変形等が原因で第１の筐体１のガタツキが生じたとしても、全ての足部１０ａ〜１０ｄを載置面に接地させることができるので、第１の筐体１のガタツキを解消することができる。したがって、ノートパソコンの姿勢を安定させることができる。
【００３７】
特に、ノートパソコンを薄型化及び軽量化するために、筐体を薄肉化すると、筐体の剛性が低下して容易に変形してしまう場合がある。筐体が変形すると、ノートパソコンを卓上等の載置平面に載置した際に、筐体の下面に配置されている複数の足部のうち幾つかの足部が接地していない状態になる場合があり、ノートパソコンの姿勢が不安定になるという問題が発生してしまう。そこで本実施の形態のように、少なくとも一つの足部の接地部材を変位可能としたことにより、上記のような問題を解消できる。
【００３８】
また、本実施の形態では、図２に示す足部１０ａ〜１０ｄのうち足部１０ａ及び１０ｂに姿勢調整部材を備え、足部１０ｃ及び１０ｄは第１の筐体１に固定されている構成とした。その理由は、第１の筐体１内におけるヒンジ部３に近い位置、すなわち足部１０ｃ及び１０ｄが配されている側に、バッテリーパックやハードディスクドライブ等のように比較的高重量な部材が内蔵されているからである。つまり、ノートパソコンを載置面等に設置しているとき、足部１０ｃ及び１０ｄには高重量な部材による高い荷重が連続的にかかっているが、足部１０ｃ及び１０ｄは第１の筐体１に固定されているためノートパソコンの姿勢は安定する。仮に、足部１０ｃ及び１０ｄに姿勢調整部材を備えると、高重量な部材により足部１０ｃ及び１０ｄに高い荷重がかかり、接地部材１１が変位してしまい、ノートパソコンの姿勢が不安定になる場合がある。さらに、図１に示した矢印Ｂ方向に、第２の筐体２を例えば１００°回動した状態で、ノートパソコンを使用する場合等では、ディスプレイパネル４の重量も足部１０ｃ及び１０ｂに加わるため、ノートパソコンの姿勢がより不安定になる傾向が助長される場合もある。
【００３９】
また、本実施の形態では、弾性部材１２は、円筒形状にしたことにより、第１の筐体１から接地部材１１へかかる荷重が安定し、接地部材１１の姿勢を安定させることができる。
【００４０】
なお、本実施の形態では、図２に示す４つの足部１０ａ〜１０ｄのうち、足部１０ａ及び１０ｂに姿勢調整機構を備える構成としたが、足部１０ａ〜１０ｄのうちいずれか１つの足部に姿勢調整機構を備えてもよい。なお、足部１０ａ〜１０ｄの中から２個以下の足ゴムを選択してノートパソコンに搭載する場合には、上述した理由に基づき足部１０ａまたは１０ｂを搭載することが好ましい。
【００４１】
また、本実施の形態では、弾性部材１２をポリウレタン等の弾性材料で形成したが、少なくとも接地部材１１を底面１４ｂから離間（浮上）させることができる構成であればよく、例えばコイルバネや板状バネで実現することも可能である。
【００４２】
また、本実施の形態では、弾性部材１２は、凹部１４の底面１４ｂに固定する構成としたが、接地部材１１の下面１１ｃに固定する構成としてもよい。
【００４３】
また、本実施の形態では、弾性部材１２を備えたが、弾性部材１２に代えて、接地部材１１の下面１１ｃに弾性部材１２と同形状のリブを一体形成してもよい。また、弾性部材１２に代えて、凹部１４の底面１４ｂに弾性部材１２と同形状のリブを一体形成してもよい。その際、リブは、弾性部材１２と同等の弾性を有する必要がある。
【００４４】
また、本実施の形態では、図６に、接地部材１１が下面１１ｃと底面１４ｂとの平行性を保ったまま矢印Ｅに示す方向へ変位する構成を図示したが、接地部材１１は下面１１ｃと底面１４ｂとが平行とならない傾斜姿勢をも取り得る。このような構成とすることで、第１の筐体１の下面１ｂが載置面１００に対して不平行な形状に変形した場合にも、全ての足部１０ａ〜１０ｄの接地部材１１を載置面１００に接地させることができる。
【００４５】
また、本実施の形態では、第１の筐体１に凹部１４を備えたが、凹部１４は省略することができる。凹部１４を省略する場合、足部１０ａ〜１０ｄは、第１の筐体１の下面１ｂの上に配置する。
【００４６】
また、本実施の形態では、接地部材１１と弾性部材１２を第１の筐体１に保持させるためにネジ１３を用いたが、接地部材１１と弾性部材１２を第１の筐体１に保持させることができれば、ネジ以外の保持部材を用いてもよい。
【００４７】
また、本実施の形態における接地部材１１は、接地部材の一例である。本実施の形態における弾性部材１２は、弾性部材の一例である。本実施の形態における凹部１４は、足配置部の一例である。本実施の形態における底面１４ｂは、設置面の一例である。本実施の形態における第１の筐体１は、筐体の一例である。本実施の形態における下面１ｂは、筐体における載置面に対向する裏面の一例である。本実施の形態における足部１０ａ〜１０ｄは、複数の足部の一例である。本実施の形態における足部１０ａまたは１０ｂは、複数の足部のうち少なくとも一つの足部の一例である。
【産業上の利用可能性】
【００４８】
本願の開示は、卓上等に載置可能な電子機器に有用である。
【符号の説明】
【００４９】
１０ａ、１０ｂ、１０ｃ、１０ｄ  足部
１１  接地部材
１２  弾性部材
１３  ネジ
１４  凹部
【図１】
2012156244.tif 000003
【図２】
2012156244.tif 000004
【図３】
2012156244.tif 000005
【図４Ａ】
2012156244.tif 000006
【図４Ｂ】
2012156244.tif 000007
【図４Ｃ】
2012156244.tif 000008
【図５】
2012156244.tif 000009
【図６】
2012156244.tif 000010